【手続補正書】
【提出日】平成23年10月27日(2011.10.27)
【手続補正１】
【補正対象書類名】特許請求の範囲
【補正対象項目名】全文
【補正方法】変更
【補正の内容】
【特許請求の範囲】
【請求項１】
符号化データを受信しエントロピー復号して、動きベクトルを生成するために必要な条件としての動きベクトル生成条件と、予測誤差画像信号を示す符号化情報とを得る符号化データ復号手段と、
復号画像信号を保存するための画像メモリと、
前記符号化データ復号手段により得られた動きベクトル生成条件に基づいて、前記画像メモリに保存された復号画像信号から動きベクトルを生成する動きベクトル生成手段と、
前記動きベクトル生成手段により生成された動きベクトルと、前記復号画像信号とを用いて予測画像信号を生成する予測画像信号生成手段と、
前記符号化データ復号手段により得られた符号化情報を復号して予測誤差画像信号を得る復号手段と、
前記予測画像信号生成手段により生成された予測画像信号と、前記復号手段により得られた予測誤差画像信号とを加算して復号画像信号を復元し、該復号画像信号を前記画像メモリに保存する保存手段と、
を備える画像復号装置。
【請求項２】
入力画像信号を入力する入力手段と、
復号画像信号を保存するための画像メモリと、
前記入力手段により入力された入力画像信号に基づいて、動きベクトルを生成するために必要な条件としての動きベクトル生成条件を決定する動きベクトル生成条件決定手段と、
前記動きベクトル生成条件決定手段により決定された動きベクトル生成条件に基づいて、前記画像メモリに保存された復号画像信号から動きベクトルを生成する動きベクトル生成手段と、
前記動きベクトル生成手段により生成された動きベクトルと、前記復号画像信号とを用いて、予測画像信号を生成する予測画像信号生成手段と、
前記入力手段により入力された入力画像信号と、前記予測画像信号生成手段により生成された予測画像信号とから予測誤差画像信号を生成する予測誤差画像信号生成手段と、
前記予測誤差画像信号生成手段により生成された予測誤差画像信号を符号化して符号化情報を得る符号化情報取得手段と、
前記符号化情報取得手段により得られた符号化情報を復号して復号予測誤差画像信号を得る局部復号手段と、
前記予測画像信号生成手段により生成された予測画像信号と、前記局部復号手段により得られた復号予測誤差画像信号とから復号画像信号を復元し、該復号画像信号を前記画像メモリに保存する保存手段と、
前記動きベクトル生成条件決定手段により決定された動きベクトル生成条件と、前記符号化情報取得手段により得られた符号化情報とをエントロピー符号化して符号化データを生成する符号化データ生成手段と、
を備える画像符号化装置。
【請求項３】
ビデオ符号化データを受信し復号して複数の再生画像を得るビデオデータ復号手段と、
解像度拡張済みの高解像画像を保存するための画像メモリと、
前記複数の再生画像間の時空間対応を表す動きベクトルを生成し、生成した動きベクトルと前記ビデオデータ復号手段により得られた複数の再生画像とを用いて、前記複数の再生画像よりも空間解像度の高い第１の高解像画像を生成し、生成した第１の高解像画像と前記画像メモリに保存されている高解像画像とを用いて第２の高解像画像を生成する解像度拡張手段と、
前記解像度拡張手段により生成された第１あるいは第２の高解像画像を前記画像メモリに保存する画像保存手段と、
を備える画像復号装置。
【請求項４】
ビデオ符号化データを受信し復号して複数の再生画像を得るビデオデータ復号手段と、
補助データを受信し復号して補助動き情報を得る補助データ復号手段と、
解像度拡張済みの高解像画像を保存するための画像メモリと、
前記複数の再生画像間の時空間対応を表す動きベクトルを生成し、生成した動きベクトルと前記ビデオデータ復号手段により得られた複数の再生画像とを用いて、前記複数の再生画像よりも空間解像度の高い第１の高解像画像を生成し、前記補助データ復号手段により得られた補助動き情報に基づいて、生成した第１の高解像画像と前記画像メモリに保存されている高解像画像とを用いて第２の高解像画像を生成する解像度拡張手段と、
前記解像度拡張手段により生成された第１あるいは第２の高解像画像を前記画像メモリに保存する画像保存手段と、
を備える画像復号装置。
【請求項５】
符号化データを受信しエントロピー復号して、動きベクトルを生成するために必要な条件としての動きベクトル生成条件と、予測誤差画像信号を示す符号化情報とを得る符号化データ復号ステップと、
前記符号化データ復号ステップにて得られた動きベクトル生成条件に基づいて、画像メモリに保存された復号画像信号から動きベクトルを生成する動きベクトル生成ステップと、
前記動きベクトル生成ステップにて生成された動きベクトルと、前記復号画像信号とを用いて予測画像信号を生成する予測画像信号生成ステップと、
前記符号化データ復号ステップにて得られた符号化情報を復号して予測誤差画像信号を得る復号ステップと、
前記予測画像信号生成ステップにて生成された予測画像信号と、前記復号ステップにて得られた予測誤差画像信号とを加算して復号画像信号を復元し、該復号画像信号を前記画像メモリに保存する保存ステップと、
を備える画像復号方法。
【請求項６】
入力画像信号を入力する入力ステップと、
前記入力ステップにて入力された入力画像信号に基づいて、動きベクトルを生成するために必要な条件としての動きベクトル生成条件を決定する動きベクトル生成条件決定ステップと、
前記動きベクトル生成条件決定ステップにて決定された動きベクトル生成条件に基づいて、画像メモリに保存された復号画像信号から動きベクトルを生成する動きベクトル生成ステップと、
前記動きベクトル生成ステップにて生成された動きベクトルと、前記復号画像信号とを用いて、予測画像信号を生成する予測画像信号生成ステップと、
前記入力ステップにて入力された入力画像信号と、前記予測画像信号生成ステップにて生成された予測画像信号とから予測誤差画像信号を生成する予測誤差画像信号生成ステップと、
前記予測誤差画像信号生成ステップにて生成された予測誤差画像信号を符号化して符号化情報を得る符号化情報取得ステップと、
前記符号化情報取得ステップにて得られた符号化情報を復号して復号予測誤差画像信号を得る局部復号ステップと、
前記予測画像信号生成ステップにて生成された予測画像信号と、前記局部復号ステップにて得られた復号予測誤差画像信号とから復号画像信号を復元し、該復号画像信号を前記画像メモリに保存する保存ステップと、
前記動きベクトル生成条件決定ステップにて決定された動きベクトル生成条件と、前記符号化情報取得ステップにて得られた符号化情報とをエントロピー符号化して符号化データを生成する符号化データ生成ステップと、
を備える画像符号化方法。
【請求項７】
画像復号装置に設けたコンピュータを、
符号化データを受信しエントロピー復号して、動きベクトルを生成するために必要な条件としての動きベクトル生成条件と、予測誤差画像信号を示す符号化情報とを得る符号化データ復号手段と、
復号画像信号を保存するための画像メモリと、
前記符号化データ復号手段により得られた動きベクトル生成条件に基づいて、前記画像メモリに保存された復号画像信号から動きベクトルを生成する動きベクトル生成手段と、
前記動きベクトル生成手段により生成された動きベクトルと、前記復号画像信号とを用いて予測画像信号を生成する予測画像信号生成手段と、
前記符号化データ復号手段により得られた符号化情報を復号して予測誤差画像信号を得る復号手段と、
前記予測画像信号生成手段により生成された予測画像信号と、前記復号手段により得られた予測誤差画像信号とを加算して復号画像信号を復元し、該復号画像信号を前記画像メモリに保存する保存手段、
として機能させるための画像復号プログラム。
【請求項８】
画像符号化装置に設けたコンピュータを、
入力画像信号を入力する入力手段と、
復号画像信号を保存するための画像メモリと、
前記入力手段により入力された入力画像信号に基づいて、動きベクトルを生成するために必要な条件としての動きベクトル生成条件を決定する動きベクトル生成条件決定手段と、
前記動きベクトル生成条件決定手段により決定された動きベクトル生成条件に基づいて、前記画像メモリに保存された復号画像信号から動きベクトルを生成する動きベクトル生成手段と、
前記動きベクトル生成手段により生成された動きベクトルと、前記復号画像信号とを用いて、予測画像信号を生成する予測画像信号生成手段と、
前記入力手段により入力された入力画像信号と、前記予測画像信号生成手段により生成された予測画像信号とから予測誤差画像信号を生成する予測誤差画像信号生成手段と、
前記予測誤差画像信号生成手段により生成された予測誤差画像信号を符号化して符号化情報を得る符号化情報取得手段と、
前記符号化情報取得手段により得られた符号化情報を復号して復号予測誤差画像信号を得る局部復号手段と、
前記予測画像信号生成手段により生成された予測画像信号と、前記局部復号手段により得られた復号予測誤差画像信号とから復号画像信号を復元し、該復号画像信号を前記画像メモリに保存する保存手段と、
前記動きベクトル生成条件決定手段により決定された動きベクトル生成条件と、前記符号化情報取得手段により得られた符号化情報とをエントロピー符号化して符号化データを生成する符号化データ生成手段、
として機能させるための画像符号化プログラム。
【手続補正２】
【補正対象書類名】明細書
【補正対象項目名】発明の名称
【補正方法】変更
【補正の内容】
【発明の名称】画像復号装置、画像復号方法、画像復号プログラム、画像符号化装置、画像符号化方法、及び画像符号化プログラム
【手続補正３】
【補正対象書類名】明細書
【補正対象項目名】０００１
【補正方法】変更
【補正の内容】
【０００１】
本発明は、画像復号装置、画像復号方法、画像復号プログラム、画像符号化装置、画像符号化方法、及び画像符号化プログラムに関する。
【手続補正４】
【補正対象書類名】明細書
【補正対象項目名】０００８
【補正方法】変更
【補正の内容】
【０００８】
本発明は、上記課題を解決するためになされたものであり、画像解像拡張処理にかかる演算量を軽減しつつ、画像間の動き検出の精度を向上させることができる画像復号装置、画像復号方法、画像復号プログラム、画像符号化装置、画像符号化方法、及び画像符号化プログラムを提供することを目的とする。